(57)【要約】【課題】  大当たり決定後にその当選した大当たりの種別を機械的に抽選し、且つ当該抽選の仕方を遊技者の意志で任意に選択できるように構成した遊技機を提供する。【解決手段】  パチンコ機１に備えた大入賞役物１０が、入賞した遊技球Ｂａに対する大当たり種別抽選を行う第１ルートとしての流下経路１７と、大当たり種別抽選を行わない第２ルートとしての通常当たり確定孔１１ａ，１１ｂとに振り分ける振り分け部Ｄとを備えている。大入賞役物１０は更に、振り分け部Ｄによって第１ルート側に振り分けられた遊技球Ｂａを導入可能な複数の大当たり種別確定ゾーン１９ａ〜１９ｈを有する確率変動当たり抽選部１８と、大当たり種別確定ゾーン１９ａ〜１９ｈの何れを有効に切り替えるかを選択し決定する確定ゾーン有効決定操作部２７とを備えている。【選択図】      図２
2006181273.tif 000002
【特許請求の範囲】
【請求項１】
大当たり確定に伴う賞球を得るための入賞が行われる大入賞口と、該大入賞口と同等の賞球機能を有し且つ大当たり確定後の大当たり種別の抽選を機械的に行う大入賞役物とを備える遊技機であって、
前記大入賞役物は、
入賞した遊技球に対する大当たり種別抽選を行う第１ルートと大当たり種別抽選を行わない第２ルートとに振り分ける振り分け部と、
前記振り分け部によって前記第１ルート側に振り分けられた遊技球を導入可能な複数の大当たり種別確定ゾーンを有する抽選部と、
前記複数の大当たり種別確定ゾーンの何れを有効に切り替えるかを選択し決定する確定ゾーン有効決定操作部とを備えてなる、
ことを特徴とする遊技機。
【請求項２】
前記抽選部は、前記複数の大当たり種別確定ゾーンを環状に有するルーレット形状を呈してなる、
ことを特徴とする請求項１に記載の遊技機。
【請求項３】
前記確定ゾーン有効決定操作部は、前記複数の大当たり種別確定ゾーンの夫々に対応する同数の操作釦を備えてなる、
ことを特徴とする請求項１又は２に記載の遊技機。
【請求項４】
前記大当たり種別として、確率変動当たり又は通常当たりの何れかに当選するように抽選してなる、
ことを特徴とする請求項１ないし３のいずれか１項に記載の遊技機。
【請求項５】
前記大当たり種別として、役物連続作動装置を作動させるべきラウンド数を抽選してなる、
ことを特徴とする請求項１ないし３のいずれか１項に記載の遊技機。
【発明の詳細な説明】
【技術分野】
【０００１】
本発明は、パチンコ機等の遊技機に関し、詳しくは、大当たり種別を機械的に抽選するように構成した遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入賞し、或いは入賞せずに遊技盤下部のアウト口に流入するように構成されたものが知られている（例えば、特許文献１参照）。
【０００３】
このようなパチンコ機では、一般入賞口に入賞した際にそれに対応した個数の遊技球が払い出され、また始動チャッカーに入賞した際にはこれに基づいて大当たり抽選が行われると共に所定数の遊技球が払い出され、当該抽選の結果に応じて、遊技盤の中央部分に設けられた液晶等からなる図柄表示装置の画面上で所定の演出表示が行われる。大当たりの発生時には、アタッカーと呼ばれる大入賞口が開放し、入賞に対応して多量の遊技球が払い出される状態となる。
【０００４】
【特許文献１】特開２００３−２３６２１０号公報
【発明の開示】
【発明が解決しようとする課題】
【０００５】
しかし、上記特許文献１に記載されるような従来のパチンコ機では、所謂第１種特別電動役物においての確率変動当たりと通常当たりの抽選や、所謂第２種特別電動役物においてのラウンド数の抽選を遊技者の意志で機械的に行うようにしたものは存在せず、従って、遊技者参加型のゲーム性が不足していることは否めず、より興趣を高めるような機種構造の現出が切望される。
【０００６】
そこで本発明は、大当たりの決定後にその当選した大当たりの種別を機械的に抽選し、且つ当該抽選の仕方を遊技者の意志で任意に選択できるように構成し、もって上述した課題を解決した遊技機を提供することを目的とするものである。
【課題を解決するための手段】
【０００７】
請求項１に係る本発明は（例えば図１ないし図５参照）、大当たり確定に伴う賞球を得るための入賞が行われる大入賞口（２１）と、該大入賞口（２１）と同等の賞球機能を有し且つ大当たり確定後の大当たり種別の抽選を機械的に行う大入賞役物（１０）とを備える遊技機（１）であって、
前記大入賞役物（１０）は、
入賞した遊技球（Ｂａ）に対する大当たり種別抽選を行う第１ルート（１７）と大当たり種別抽選を行わない第２ルート（１１ａ，１１ｂ）とに振り分ける振り分け部（Ｄ）と、
前記振り分け部（Ｄ）によって前記第１ルート（１７）側に振り分けられた遊技球（Ｂａ）を導入可能な複数の大当たり種別確定ゾーン（１９ａ〜１９ｈ）を有する抽選部（１８）と、
前記複数の大当たり種別確定ゾーン（１９ａ〜１９ｈ）の何れを有効に切り替えるかを選択し決定する確定ゾーン有効決定操作部（２７）とを備えてなる、
ことを特徴とする遊技機（１）にある。
【０００８】
請求項２に係る本発明は（例えば図１ないし図３参照）、前記抽選部（１８）が、前記複数の大当たり種別確定ゾーン（１９ａ〜１９ｈ）を環状に有するルーレット形状を呈してなる、
ことを特徴とする請求項１に記載の遊技機（１）にある。
【０００９】
請求項３に係る本発明は（例えば図１及び図４参照）、前記確定ゾーン有効決定操作部（２７）が、前記複数の大当たり種別確定ゾーン（１９ａ〜１９ｈ）の夫々に対応する同数の操作釦（２０ａ〜２０ｈ）を備えてなる、
ことを特徴とする請求項１又は２に記載の遊技機（１）にある。
【００１０】
請求項４に係る本発明は（例えば図１ないし図５参照）、前記大当たり種別として、確率変動当たり又は通常当たりの何れかに当選するように抽選してなる、
ことを特徴とする請求項１ないし３のいずれか１項に記載の遊技機（１）にある。
【００１１】
請求項５に係る本発明は（例えば図１ないし図５参照）、前記大当たり種別として、役物連続作動装置を作動させるべきラウンド数を抽選してなる、
ことを特徴とする請求項１ないし３のいずれか１項に記載の遊技機（１）にある。
【００１２】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１３】
請求項１に係る本発明によると、大入賞役物が、大当たり種別抽選する第１ルートと大当たり種別抽選抽選しない第２ルートとに振り分ける振り分け部と、第１ルート側に振り分けられた遊技球を導入可能な複数の大当たり種別確定ゾーンを有する抽選部と、大当たり種別確定ゾーンの何れを有効に切り替えるかを選択し決定する確定ゾーン有効決定操作部とを備えるので、複数の大当たり種別確定ゾーンのうちで遊技球が導入されるゾーンを遊技者が予想し、この予想に従って確定ゾーン有効決定操作部を操作して大当たり種別確定ゾーンを自由に決定することができる。その結果、見事的中すれば所望の大当たり種別が得られるため、遊技者の視覚に訴える興趣の高い遊技者参加型のゲーム性を実現することができる。
【００１４】
請求項２に係る本発明によると、抽選部が、複数の大当たり種別確定ゾーンを環状に有するルーレット形状を呈するので、遊技者は自分が選択した大当たり種別確定ゾーンに予想通り遊技球が導入されるか否かに注目しつつ、ルーレット感覚で遊技を楽しむことができる。
【００１５】
請求項３に係る本発明によると、確定ゾーン有効決定操作部が、複数の大当たり種別確定ゾーンの夫々に対応する同数の操作釦を備えるので、大当たり種別確定ゾーンに一対一に対応する操作釦を、間違うことなく確実に操作することができる。
【００１６】
請求項４に係る本発明によると、大当たり種別として、確率変動当たり又は通常当たりの何れかに当選するように抽選するので、遊技者は、次なる大当たりを引くまでの間、有利な付加価値を得られる特殊状態である確率変動当たりに当選するか否かに期待感を膨らませつつ、興趣の高い遊技を楽しむことができる。
【００１７】
請求項５に係る本発明によると、大当たり種別として、役物連続作動装置を作動させるべきラウンド数を抽選するので、遊技者は、できるだけ多いラウンド数に当選することに期待感を膨らませつつ、興趣の高い遊技を楽しむことができる。
【発明を実施するための最良の形態】
【００１８】
以下、本発明に係る遊技機の実施形態として、遊技場等に設置されるパチンコ機を図１ないし図５に沿って説明する。なお、図１は本発明の実施形態におけるパチンコ機の外部構造を示す正面図、図２は本実施形態におけるパチンコ機の大当たり種別決定部を拡大して示す正面図、図３は図２の大当たり種別決定部のルーレット部を拡大して示す平面図、図４はルーレット部による抽選状況を選択決定するためのプッシュ釦を拡大して示す正面図、図５は本パチンコ機の制御系を示すブロック図、図６は、本実施形態のパチンコ機による作用を説明するためのフローチャートである。
【００１９】
本パチンコ機１は、発射ハンドル９の操作による発射装置（図示せず）の作動で遊技球（所謂パチンコ玉）を遊技領域７ａに打ち出しつつ遊技を行うもので、始動チャッカー５０への入賞を契機とする抽選で大当たりが決定した後、大当たりの種別を機械的に決定し、該種別に従ってアタッカー２１に入賞させ、その入賞した遊技球に対応する数の遊技球を払い出すように構成されている。なお、本実施形態では、本発明に係る遊技機を所謂第１種特別電動役物であるパチンコ機１として説明するが、これに限らず、本発明に係る遊技機を、所謂第２種特別電動役物であるパチンコ機にも適用できることは勿論である。
【００２０】
上記大当たりの種別として、所謂第１種特別電動役物においては確率変動当たりや通常当たりを挙げることができ、また、所謂第２種特別電動役物においては、役物連続作動装置（図示せず）を作動させるべきラウンド数（３回、７回、１５回など）を挙げることができる。なお、上記確率変動当たり（「確変当たり）とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２１】
図１に示すように、本パチンコ機１は、筐体２と、筐体２に開閉可能に装着された前扉３とを有しており、前扉３の前面には、透明ガラス６を有するガラス枠５が開閉可能に取付けられている。透明ガラス６の奥側には、遊技領域７ａを有する遊技盤７が配置されている。前扉３における遊技領域７ａの左右及び上部には演出用照明装置２３が配置されており、前扉３における上部左右及び下部には夫々、スピーカ（図示せず）を有する放音装置８が配置されている。また、ガラス枠５における中央部右方には、前扉３を筐体２側に施錠又は解放するための施錠装置４が配置されている。なお、上記筐体２及び前扉３等から遊技機本体が構成されている。
【００２２】
前扉３における下部中央には皿ユニット１３が設けられており、皿ユニット１３における上部右方には、賞球及び貸球を含む遊技球が供給される球供給口１８が設けられ、皿ユニット１３における上部左方の壁面には、球貸ボタン１４ａ及びプリペイドカード返却ボタン１４ｂが設けられている。ガラス枠５におけるボタン１４ａ，１４ｂの上部左方には、後述する確定ゾーン有効決定操作部２７が配設されている。この確定ゾーン有効決定操作部２７は、１番から８番までの８つのプッシュ釦（操作釦）２０ａ〜２０ｈ（図４参照）を押圧操作可能に備えており、後述する大当たり種別確定ゾーン１９ａ〜１９ｈの何れを有効に切り替えるかを選択し決定するように構成される。
【００２３】
また、皿ユニット１３の中央部には、該皿ユニット１３上の遊技球を発射装置付近から皿ユニット下部の球排出口（図示せず）を通して下方に排出するための第１球抜きボタン２２ａと、皿ユニット１３上の遊技球を球供給口１８付近から上記球排出口を通して下方に排出するための第２球抜きボタン２２ｂとが配置されている。前扉３における皿ユニット１３の下部右方には、上記球発射装置を操作して遊技球を遊技領域７ａに向けて打ち出すための発射ハンドル９が配置されており、皿ユニット１３の下部左方には、灰皿２４が配置されている。
【００２４】
上記遊技領域７ａには、上方から下方にかけて大入賞役物１０、画像表示装置２８、始動チャッカー５０及びアタッカー２１がこの順に配設されている。始動チャッカー５０は大当たり抽選実行の契機となり得る入球が行われるものであり、アタッカー２１は、大当たり確定に伴う賞球を得るための入賞が行われる大入賞口としての構成される。なお、遊技領域７ａには、上記大入賞役物１０等の遊技部品以外にも、不図示の一般入賞口や多数の障害釘が配設されている。
【００２５】
アタッカー２１は、大当たり発生中、１回の開放で例えば１０個の入球を完了した時点で閉じ、このような開閉動作を、後述の振り分け部Ｄとで合計が例えば１５回となるように交互に繰り返すように構成される。但し、ここで言う「交互に繰り返す」とは、アタッカー２１と振り分け部Ｄとが１ラウンド毎に順次動作が切り替わることのみを意味するのではなく、一方が２ラウンド或いは３ラウンド消化してから他方に切り替わったりするように、切り替わるまでのラウンド数は任意であることを意味している。なお、上記入球数並びに開閉動作の回数は、１０個や１５回に限定されることはなく、必要に応じて適宜設定され得るものである。
【００２６】
ここで、本発明の特徴である大入賞役物１０について説明する。すなわち、この大入賞役物１０は、アタッカー２１と同等の賞球機能を有し且つ大当たり確定後の大当たり種別の抽選を機械的に行うように構成されるもので、図２に示すように、振り分け部Ｄ及び確率変動当たり抽選部（抽選部）１８を備えている。
【００２７】
振り分け部Ｄは、入賞した遊技球Ｂａに対する大当たり種別抽選を行う第１ルートとしての流下経路１７と、大当たり種別抽選を行わない第２ルートとしての通常当たり確定孔１１ａ，１１ｂとに振り分けるように構成されるもので、電動開閉式入賞口１１及び遊技球遅延落下部１５から構成されている。
【００２８】
電動開閉式入賞口１１は、通常当たり確定孔１１ａ，１１ｂと、これらの間に設けられた落下孔１１ｃとを内方に備えており、アタッカー２１に関して上述したと同様、当該振り分け部Ｄ及びアタッカー２１の一方が２ラウンド或いは３ラウンド消化してから他方に切り替わったりするように、切り替わるまでのラウンド数が任意となるように構成される。落下孔１１ｃは、回転体１６の切欠き１６ｂが対向した際に遊技球Ｂａを落下させ得るように形成されている。電動開閉式入賞口１１が開放した状態で遊技球が進入した際、当該遊技球が電動開閉式入賞口１１内方で転動して、通常当たり確定孔１１ａ若しくは１１ｂ、又は落下孔１１ｃに進入することとなる。
【００２９】
遊技球遅延落下部１５は、電動開閉式入賞口１１から入賞した遊技球Ｂａを流下経路１７に導くための回転体１６と、この回転体１６を回転可能に収容し且つ流下経路１７に連通する収容部１５ａとを備えている。回転体１６は、収容部１５ａの中心に対応する回転軸１６ａを中心として図２中の矢印Ａ方向に低速回転するように支持されており、その回転により上記落下孔１１ｃに対向し得るように上記切欠き１６ｂが形成されている。
【００３０】
また、確率変動当たり抽選部１８は、図２及び図３に示すように、振り分け部Ｄによって流下経路１７側に振り分けられた遊技球Ｂａを転動移動させる移動レール部１８ａと、この移動レール部１８ａの内周側に配置された抽選域１８ｂとを備えている。
【００３１】
上記流下経路１７は、該移動レール部１８ａに対面する部分１７ａが遊技球Ｂａを、移動レール部１８ａ内を図２矢印Ｂ方向に転動させるべく放出し得るように湾曲している。移動レール部１８ａは、流下経路１７の上記対面部分１７ａから放出される遊技球Ｂａを矢印Ｂ方向に転動移動させ得るように真円の環状に形成されている。上記対面部分１７ａの下端部は、移動レール部１８ａを一周回転してくる遊技球Ｂａの通過を妨げないように、移動レール部１８ａとの間に少なくとも遊技球Ｂａの直径寸法以上の間隔をあけるように形成されている。
【００３２】
上記抽選域１８ｂには、振り分け部Ｄにて流下経路１７側に振り分けられて移動レール部１８ａを転動移動させられる上記遊技球Ｂａを導入し得るように、等角度間隔で計８箇所に区画された大当たり種別確定ゾーン１９ａ〜１９ｈを備えている。大当たり種別確定ゾーン１９ａ〜１９ｈは、確定ゾーン有効決定操作部２７に備えた８個のプッシュ釦２０ａ〜２０ｈに夫々に対応している。確率変動当たり抽選部１８は、これら大当たり種別確定ゾーン１９ａ〜１９ｈを環状に有するルーレット形状を呈している。なお、上述した流下経路１７及び移動レール部１８ａは、遊技者に視認可能となるように透明材料によって形成されている。
【００３３】
上記大当たり種別確定ゾーン１９ａ〜１９ｈは、夫々の中間部分に、移動レール部１８ａ側に開口する遊技球導入開口Ｈａ〜Ｈｈを有している。これら遊技球導入開口Ｈａ〜Ｈｈは、移動レール部１８ａの内周側にあって、移動レール部１８ａ側が該レール部１８ａからの遊技球Ｂａを導き易くするためやや広く形成されており、導入した遊技球Ｂａを、遊技盤７の外方に排出するべく落下させ、かつ後述の導入検知センサ２９ａ〜２９ｈによって検知するように構成される。
【００３４】
確定ゾーン有効決定操作部２７は、図４に示すように、大当たり種別確定ゾーン１９ａ〜１９ｈの何れを有効に切り替えるかを選択決定するものであり、大当たり種別確定ゾーン１９ａ〜１９ｈに対応する８個のプッシュ釦（操作釦）２０ａ〜２０ｈを備えている。これらプッシュ釦２０ａ〜２０ｈに夫々付されている番号１〜８は、大当たり種別確定ゾーン１９ａ〜１９ｈに夫々付されている番号１〜８（図３参照）に対応している。
【００３５】
次に、本実施形態におけるパチンコ機１の制御系を図５に沿って説明する。すなわち、本制御系は、主基板３０と、この主基板３０に接続されたサブ基板３１とを備えている。主基板３０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。
【００３６】
主基板３０は、入賞判定手段３２、入賞信号出力手段３３、抽選手段３８、遊技制御手段３９、保留手段４０、作動制御手段４１、作動判定手段４２、作動決定手段４３、及び大当たり種別決定手段２６を備えている。また主基板３０には、始動チャッカー開閉ソレノイド４５、電動開閉式入賞口開閉ソレノイド４６、回転体駆動モータ４７、アタッカー開閉ソレノイド４８、及び導入検知センサ２９ａ〜２９ｈが接続されている。
【００３７】
入賞判定手段３２は、発射ハンドル９の操作で作動する発射装置（図示せず）によって遊技領域７ａに打ち出された遊技球が始動チャッカー５０、電動開閉式入賞口１１、アタッカー２１、及び不図示の一般入賞口の何れかに入賞したとき、当該入賞があった旨を判定する。つまり、入賞判定手段３２は、始動チャッカー５０、電動開閉式入賞口１１、アタッカー２１、或いは一般入賞口（図示せず）に遊技球が入った場合、夫々に対応して設けられた入賞検知センサ（図示せず）から受信した検知信号に従って入賞と判定する。但し、電動開閉式入賞口１１に関する入賞判定のための入賞検知センサは、通常当たり確定孔１１ａ，１１ｂへの遊技球進入を検知するセンサについては図示していないが、落下孔１１ｃから確率変動当たり抽選部１８の遊技球導入開口Ｈａ〜Ｈｈへの遊技球進入を検知するセンサについては導入検知センサ２９ａ〜２９ｈとして図示している。
【００３８】
入賞信号出力手段３３は、入賞判定手段３２によって入賞が判定されたとき、対応する始動チャッカー５０、電動開閉式入賞口１１、アタッカー２１、或いは一般入賞口に入賞した旨の入賞信号を出力する。
【００３９】
抽選手段３８は、入賞信号出力手段３３からの入賞信号の受信時、最大保留球数（例えば４個）未満での入賞を契機として大当たりに当選するように、不図示の抽選用メモリから当たり当選乱数値を取得して大当たり抽選を実行する。抽選手段３８は更に、大当たり抽選に当選した場合、不図示の演出用メモリに格納された演出乱数値に基づく抽選で、変動の結果、適宜の図柄が画像表示装置２８の画面上で最終的に揃う旨の変動パターンを決定し、その旨の変動パターンコマンドを出力する。抽選手段３８はまた、大当たり抽選で外れた場合、演出乱数値に基づく抽選で、変動の結果、外れに対応する適宜の図柄が画像表示装置２８の画面上で最終的に表示される旨の変動パターンを決定し、この変動パターンコマンドを出力する。
【００４０】
遊技制御手段３９は、予め設定された演出データ、抽選手段３８での抽選結果、或いは後述の大当たり種別決定手段２６での決定結果に対応して、画像表示装置２８に表示すべき演出内容に関する信号を、制御コマンドと共にサブ基板３１の表示制御手段３７に送信する。
【００４１】
保留手段４０は、抽選手段３８から出力された変動パターンコマンドを受信し、始動チャッカー５０への入賞の都度に行われた抽選の結果となる保留球として順次記憶する。当該記憶状況は、最大４個の保留球として、４個のＬＥＤ等の発光体（図示せず）を点灯又は消灯させることにより表示される。なお、保留球として点灯表示される保留球数は上記「最大４個」に限らず、例えば３個以下、又は５個以上として適宜設定することも可能である。
【００４２】
作動制御手段４１は、作動決定手段４３の作動開始決定の旨の信号に基づき、始動チャッカー開閉ソレノイド４５、電動開閉式入賞口開閉ソレノイド４６、回転体駆動モータ４７、及びアタッカー開閉ソレノイド４８に駆動信号を送り、夫々に作動させる。
【００４３】
作動判定手段４２は、始動チャッカー開閉ソレノイド４５、電動開閉式入賞口開閉ソレノイド４６、回転体駆動モータ４７、及びアタッカー開閉ソレノイド４８を夫々に作動させるための条件を満たすか否かを判定する。例えば、始動チャッカー開閉ソレノイド４５にあって、始動チャッカー５０の開閉の「条件を満たす」時とは、主基板３０において抽選手段３８の大当たり抽選とは別途行われる抽選で当選した場合である。また例えば、電動開閉式入賞口開閉ソレノイド４６やアタッカー開閉ソレノイド４８にあって、電動開閉式入賞口１１やアタッカー２１の開放の「条件を満たす」時とは、大当たりが発生し且つ開閉作動の順番が到来したときであり、閉塞の「条件を満たす」時とは、大当たり発生時において割り振られた入賞回数（ラウンド数）を完了したときである。そして例えば、回転体駆動モータ４７にあって、回転体１６の回転駆動の「条件を満たす」時とは、遊技場の営業開始に先立って主電源がオンされたときである。
【００４４】
作動決定手段４３は、作動判定手段４２からの判定信号を受けて、始動チャッカー開閉ソレノイド４５、電動開閉式入賞口開閉ソレノイド４６、回転体駆動モータ４７、及びアタッカー開閉ソレノイド４８の作動開始を夫々に決定する。
【００４５】
大当たり種別決定手段２６は、導入検知センサ２９ａ〜２９ｈのうちで確定ゾーン有効決定操作部２７の操作で有効に切り替えられたものから受信した検知信号に従って、現在既に当選している大当たりの種別を、次なる大当たりを当選させるまで遊技者に有利な付加価値を付与し得る特殊状態となる確率変動当たりとして決定する。一方、大当たり種別決定手段２６は、電動開閉式入賞口１１やアタッカー２１の１回分（１セット分）の全てのラウンド数を満たす開閉動作の終了時に導入検知センサ２９ａ〜２９ｈの何れからも検知信号を受信しなかった場合は、上記特殊状態とならない通常当たりとして確定させる。
【００４６】
始動チャッカー開閉ソレノイド４５は、作動制御手段４１から送信された駆動信号に応答してプランジャ（図示せず）を進退動作させて始動チャッカー５０を開閉動作させる。
【００４７】
電動開閉式入賞口開閉ソレノイド４６は、作動制御手段４１から送信された駆動信号に応答してプランジャ（図示せず）を進退動作させて電動開閉式入賞口１１を開閉動作させる。
【００４８】
回転体駆動モータ４７は、作動制御手段４１から送信された駆動信号に応答して回転駆動して、遊技球遅延落下部１５の回転体１６を図２の矢印Ａ方向に低速回転させる。
【００４９】
アタッカー開閉ソレノイド４８は、作動制御手段４１から送信された駆動信号に応答してプランジャ（図示せず）を進退動作させて、アタッカー２１を開閉動作させる。
【００５０】
導入検知センサ２９ａ〜２９ｈは、確定ゾーン有効決定操作部２７の操作で有効に切り替えられた状態にて夫々対応する遊技球導入開口Ｈａ〜Ｈｈへの遊技球Ｂａの進入を検知し、その検知信号を主基板３０に送信する。
【００５１】
一方、サブ基板３１は、演出制御手段３４、及び表示制御手段３７を有しており、サブ基板３１には、放音装置８、演出用照明装置２３、及び画像表示装置２８が接続されている。
【００５２】
演出制御手段３４は、主基板３０中の上記マイクロプロセッサから供給される信号に従って、放音装置８、演出用照明装置２３を適時駆動して、遊技者の視覚及び聴覚に訴える演出表示を行う。
【００５３】
表示制御手段３７は、遊技制御手段３９から送信された演出内容に関する信号に従って画像表示装置２８を適時駆動し、大当たり抽選結果を中心とした内容の演出を、遊技者の視覚に訴えるように演出表示する。
【００５４】
放音装置８、演出用照明装置２３及び画像表示装置２８は、上述したように各制御に応答して音、光等の発生により、通常時の演出や大当たり時における特別な演出等を行う。
【００５５】
次に、本パチンコ機１による作用について、図６のフローチャートを参照しつつ説明する。すなわち、本パチンコ機１に対面して着座した遊技者が発射ハンドル９を握り、適宜の角度に回動操作すると、発射装置（図示せず）の作動によって遊技球が所定の時間間隔で遊技領域７ａに向けて連続的に発射される（ステップＳ１）。すると、遊技盤７の遊技領域７ａに打ち出されて転動落下する多数の遊技球は、始動チャッカー５０や一般入賞口（図示せず）に適時入賞し、或いは、これらに関与せずに転動落下して、遊技領域７ａ最下部のアウト口（図示せず）から遊技盤７背面側に排出される。
【００５６】
ところで、上述のように始動チャッカー５０や一般入賞口の何れかに遊技球Ｂａが入賞した場合、入賞判定手段３２が当該入賞を判定し、且つ入賞信号出力手段３３が入賞信号を出力する（ステップＳ２）。この際、抽選手段３８が、入賞信号出力手段３３から受信した入賞信号に従って、大当たり抽選を実行する。そして抽選手段３８は、大当たり抽選に当選した場合、変動の結果、適宜の図柄が画像表示装置２８の画面上で最終的に揃う旨の変動パターンを決定し、その旨の変動パターンコマンドを出力する。すると、保留手段４０が、抽選手段３８からの変動パターンコマンドを受信し、始動チャッカー５０への入賞の都度に行われた抽選の結果となる保留球として順次記憶する。そして、大当たり抽選で当選した場合（ステップＳ３）、抽選手段３８が当たりフラグをオンする。
【００５７】
これにより、ステップＳ４において、画像表示装置２８に表示されるべき当たり図柄がセットされ、抽選手段３８は、その旨の変動パターンコマンドを出力する。一方、大当たり抽選で外れた際には、演出用メモリに格納された演出乱数値に基づく抽選で、変動の結果、外れに対応する図柄が最終的に揃う旨の変動パターンが決定される。
【００５８】
そして、遊技制御手段３９が、画像表示装置２８に表示すべき演出内容に関する信号を制御コマンドと共にサブ基板３１の表示制御手段３７に送信することに基づき、表示制御手段３７が、画像表示装置２８を適時駆動し、大当たり抽選結果に関する内容等を、遊技者の視覚に訴えるように演出表示する（ステップＳ５）。
【００５９】
抽選手段３８での当選結果が画像表示装置２８の画面上に表れた場合、作動制御手段４１は、作動決定手段４３の作動開始決定の旨の信号に基づき、所定のタイミングでアタッカー開閉ソレノイド４８に駆動信号を送り、当該ソレノイド４８を作動させてアタッカー２１を開放し、所定数入賞が終了する毎に閉止する動作を、その際に与えられているラウンド数だけ繰り返させる。同様に、作動制御手段４１は、作動決定手段４３の作動開始決定の旨の信号に基づき、所定のタイミングで電動開閉式入賞口開閉ソレノイド４６に駆動信号を送り、当該ソレノイド４６を作動させて電動開閉式入賞口１１を開閉させ、所定数入賞が終了する毎に閉止する動作を、その際に与えられているラウンド数だけ繰り返させる。これにより、電動開閉式入賞口１１及びアタッカー２１に入賞した遊技球合計に応じた多量の遊技球が球供給口１８から上皿１３に払い出されることとなる（ステップＳ６）。これらの際、電動開閉式入賞口１１及びアタッカー２１が、１回の大当たり確定に対応して予め設定されたラウンド数（例えば１５回）を合計で満たすように夫々に開閉動作される。
【００６０】
上述したラウンド処理中において、大当たり種別を決定する大当たり種別抽選処理が行われる（ステップＳ７）。すなわち、大当たり決定に基づくラウンド処理が開始されると、作動制御手段４１が、電動開閉式入賞口１１又はアタッカー開閉ソレノイド４８に適時駆動信号を出力する。これにより、例えば、電動開閉式入賞口開閉ソレノイド４６が駆動すると、電動開閉式入賞口１１が開放する。この時点で遊技者の発射ハンドル操作に従って遊技領域７ａに発射された後、障害釘を通過した遊技球が、開放した電動開閉式入賞口１１に進入する。
【００６１】
この際、電動開閉式入賞口１１に進入した複数の遊技球Ｂａのうち、或るものは通常当たり確定孔１１ａ又は１１ｂに入って、単にその入賞をカウントされることになり、また或るものは落下孔１１ｃに落下して、遊技球遅延落下部１５、流下経路１７を経て確率変動当たり抽選部１８に向かうこととなる。
【００６２】
遊技球Ｂａが落下孔１１ｃに落下した状態において、遊技球遅延落下部１５では回転体１６が図２矢印Ａ方向に低速回転しているので、切欠き１６ｂが落下孔１１ｃに対向している際には、遊技球Ｂａは直ちに該切欠き１６ｂに収容され、回転体１６の回転につれて切欠き１６ｂが下方の流下経路１７を向いた時点で、自重落下して流下する。一方、落下孔１１ｃへの遊技球Ｂａの落下時に、回転体１６の切欠き１６ｂが落下孔１１ｃに対向していない際には、遊技球Ｂａは次のタイミングで切欠き１６ｂが落下孔１１ｃに対向するまでの間、回転体１６の外周面に摺接して待機し、切欠き１６ｂが落下孔１１ｃに対向した時点で、自重落下して流下する。
【００６３】
上述のように流下経路１７を遊技球Ｂａが流下すると、当該遊技球Ｂａは、流下経路１７の対面部分１７ａから移動レール部１８ａに放出されて、該移動レール部１８ａ内を図２矢印Ｂ方向に転動移動することとなる。すると、遊技球Ｂａは、慣性によって移動レール部１８ａを転動移動しつつ、遠心力によって移動レール部１８ａの外周側に寄った形で転動する。そして、周囲との摩擦力等によって転動の勢いが弱まると、移動レール部１８ａの内周側に寄って転動することとなり、その際の適宜位置にある大当たり種別確定ゾーン１９ａ〜１９ｈの遊技球導入開口Ｈａ〜Ｈｈに導入される。
【００６４】
これに先立って、確定ゾーン有効決定操作部２７のプッシュ釦２０ａ〜２０ｈを遊技者が任意に押圧操作することで、図３に示す大当たり種別確定ゾーン１９ａ〜１９ｈに対応する遊技球導入開口Ｈａ〜Ｈｈのうちの何れかが有効に切り替えられている。このため、遊技球導入開口Ｈａ〜Ｈｈのうち遊技球Ｂａが導入された開口が予め有効状態に切り替えられていれば、遊技球Ｂａの導入が検知されると共に、導入検知センサ２９ａ〜２９ｈの何れか対応するセンサによる検知に応答して、大当たり種別決定手段２６が大当たり種別を確率変動当たりとして決定することになる。
【００６５】
以上説明した本実施形態では、大入賞役物１０が、大当たり種別抽選する第１ルートとしての流下経路１７と、大当たり種別抽選抽選しない第２ルートとしての通常当たり確定孔１１ａ，１１ｂに振り分ける振り分け部Ｄと、第１ルート側に振り分けられた遊技球Ｂａを導入可能な複数の大当たり種別確定ゾーン１９ａ〜１９ｈを有する確率変動当たり抽選部１８と、大当たり種別確定ゾーン１９ａ〜１９ｈの何れを有効に切り替えるかを選択し決定する確定ゾーン有効決定操作部２７とを備えている。これにより、大当たり種別確定ゾーン１９ａ〜１９ｈのうちで遊技球Ｂａが導入されるゾーンを遊技者が予想し、この予想に従って確定ゾーン有効決定操作部２７を操作して大当たり種別確定ゾーン１９ａ〜１９ｈを自由に決定することができる。その結果、見事的中すれば所望の大当たり種別が得られるため、遊技者の視覚に訴える興趣の高い遊技者参加型のゲーム性を実現することができる。
【００６６】
また本実施形態では、確率変動当たり抽選部１８が、大当たり種別確定ゾーン１９ａ〜１９ｈを環状に有するルーレット形状を呈するので、遊技者は自分が選択した大当たり種別確定ゾーン１９ａ〜１９ｈに予想通り遊技球Ｂａが導入されるか否かに注目しつつ、ルーレット感覚で遊技を楽しむことができる。更に、確定ゾーン有効決定操作部２７が、大当たり種別確定ゾーン１９ａ〜１９ｈの夫々に対応する同数のプッシュ釦２０ａ〜２０ｈを備えるので、大当たり種別確定ゾーン１９ａ〜１９ｈに一対一に対応するプッシュ釦２０ａ〜２０ｈを、間違うことなく確実に操作することができる。
【００６７】
また本実施形態では、大当たり種別として、確率変動当たり又は通常当たりの何れかに当選するように抽選するので、遊技者は、次なる大当たりを引くまでの間、有利な付加価値を得られる特殊状態である確率変動当たりに当選するか否かに期待感を膨らませつつ、興趣の高い遊技を楽しむことができる。
【００６８】
なお、本実施形態では、パチンコ機１が第１種特別電動役物であるため、大当たり種別として確率変動当たり及び通常当たりを抽選するように構成されるが、これに代えて、パチンコ機１が第２種特別電動役物である場合には、大当たり種別として、役物連続作動装置（図示せず）を作動させるべきラウンド数を抽選するように構成することもできる。その場合、遊技者は、できるだけ多いラウンド数に当選することに期待感を膨らませつつ、興趣の高い遊技を楽しむことができるようになる。
【００６９】
この場合に、例えば、図３に示す確率変動当たり抽選部１８を、ラウンド数を抽選すべきラウンド数抽選部として考えるとき、遊技者は、ラウンド数確定ゾーンとなる符号１９ａ〜１９ｈで示される部分に付された番号１〜８を見ながら、プッシュ釦２０ａ〜２０ｈに付された番号１〜８を適宜操作することで、抽選されるべきラウンド数を選択することとなる。その際、番号１〜８の夫々にラウンド数が１対１に対応していると、遊技者は、ラウンド数が最高の番号８を常に選択しがちになると考えられるため、他の番号１〜７にも選択の機会を与えるべく、次のように構成することもできる。
【００７０】
すなわち、ラウンド数確定ゾーン（１９ａ〜１９ｈ）に対する番号を、単に１〜８を順に付すような形にするのでなく、例えば番号８を１箇所、番号５を３箇所、番号３を４箇所に付しておき、番号８に対応するラウンド数確定ゾーンを遊技者が選択した状態でこの確定ゾーンに入球したときは８ラウンド数が得られ、また、番号５に対応するラウンド数確定ゾーンを選択した状態でこの確定ゾーンに入球したときには５の２倍のラウンド数（つまり１０回）が得られ、更に、番号３に対応するラウンド数確定ゾーンを選択した状態でこの確定ゾーンに入球したときには３の２倍のラウンド数（つまり６回）が得られるように構成できる。ラウンド数確定ゾーンに付す番号、及びその対応するラウンド数の算出法は、これらに限らず、適宜設定することができる。
【００７１】
上記のように構成することにより、遊技者の好みに応じて、多彩な選択を行うことができるようになり、遊技性をより向上させることが可能になる。
【００７２】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００７３】
【図１】本発明の実施形態におけるパチンコ機の外部構造を示す正面図である。
【図２】本実施形態におけるパチンコ機の大当たり種別決定部を拡大して示す正面図である。
【図３】図２の大当たり種別決定部のルーレット部を拡大して示す平面図である。
【図４】ルーレット部による抽選状況を選択決定するためのプッシュ釦を拡大して示す正面図である。
【図５】本実施形態におけるパチンコ機の制御系を示すブロック図である。
【図６】本実施形態のパチンコ機による作用を説明するためのフローチャートである。
【符号の説明】
【００７４】
１：パチンコ機（遊技機）
１０：大入賞役物
１１ａ，１１ｂ：通常当たり確定孔（第２ルート）
１７：流下経路（第１ルート）
１８：確率変動当たり抽選部（抽選部）
１９ａ〜１９ｈ：大当たり種別確定ゾーン
２０ａ〜２０ｈ：プッシュ釦（操作釦）
２１：アタッカー（大入賞口）
２７：確定ゾーン有効決定操作部
Ｂａ：遊技球
Ｄ：振り分け部
【図１】
2006181273.tif 000003
【図２】
2006181273.tif 000004
【図３】
2006181273.tif 000005
【図４】
2006181273.tif 000006
【図５】
2006181273.tif 000007
【図６】
2006181273.tif 000008